(57)【要約】【課題】一実施形態において、仮想制御インターフェースであって、ユーザーのヘッドマウント装置に表示される仮想制御インターフェースを介して、対象装置によって実施される制御操作を有効化するための方法が提案される。【解決手段】第１のエリアの選択命令を検出し、選択された第１のエリアを伝達するステップと、ユーザーの視線の位置を検出し、第２のエリアを伝達するステップと、前記選択された第１のエリアと前記第２のエリアが、前記対象装置によって実施される制御操作に関連付けられた同一の専用エリアに少なくとも部分的に重なるか検出するステップと、を有し、前記少なくとも部分的に重なることを検出すると、前記制御操作を有効化するステップをさらに含む点において際立っている。【選択図】図１
2015043209.tif 000002
【特許請求の範囲】
【請求項１】
対象装置によって実施される制御操作を仮想制御インターフェースを介して有効化するための方法であって、前記仮想制御インターフェースはユーザーのヘッドマウント装置によって表示される、前記方法は、
前記仮想制御インターフェース内の第１のエリアの選択命令を検出し、選択された第１のエリア（２０１）を伝達するステップと、
前記ユーザーの視線の位置を検出し、前記仮想制御インターフェース内の第２のエリア（２００）を伝達するステップと、
前記選択された第１のエリアと前記第２のエリアとが、前記対象装置によって実施される制御操作に関連付けられた同一の専用エリア（１０５、１０６）に少なくとも部分的に重なるか検出するステップと、を有し、
前記少なくとも部分的に重なることを検出すると、前記方法は、前記制御操作を有効化するステップをさらに含む
ことを特徴とする、前記方法。
【請求項２】
前記第１のエリアの選択命令は、前記ユーザーのジェスチャの位置に対応する
ことを特徴とする、請求項１に記載の有効化するための方法。
【請求項３】
前記ジェスチャは、前記ユーザーの体の一部に関連付られる
ことを特徴とする、請求項２に記載の有効化するための方法。
【請求項４】
前記第１のエリアの選択命令は、前記ユーザーの音声コマンドに対応し、前記第１のエリアは前記専用エリアに含まれる
ことを特徴とする、請求項１に記載の有効化するための方法。
【請求項５】
前記第１のエリアは、前記専用エリアに対応する
ことを特徴とする、請求項４に記載の有効化するための方法。
【請求項６】
前記対象装置をセンサーにより検出した場合に、前記仮想制御インターフェースを表示することを含む
ことを特徴とする、請求項１から５のいずれか一項に記載の有効化するための方法。
【請求項７】
前記センサーは前記ヘッドマウント装置に含まれる
ことを特徴とする、請求項６に記載の有効化するための方法。
【請求項８】
前記センサーは前記ユーザーに装着される腕時計に含まれる
ことを特徴とする、請求項６に記載の有効化するための方法。
【請求項９】
前記センサーがカメラである
ことを特徴とする、請求項６から８のいずれか一項に記載の有効化するための方法。
【請求項１０】
前記検出するステップは、前記選択した第１のエリアおよび前記第２のエリアが、前記同一の専用エリアに完全に重なるかどうかを検出し、前記選択した第１のエリアおよび前記第２のエリアが、完全に前記同一の専用エリアに重なる場合のみ前記有効化するステップが実行される
ことを特徴とする、請求項１から９のいずれか一項に記載の有効化するための方法。
【請求項１１】
前記有効化するステップの実行はまた、前記選択された第１のエリアおよび前記第２のエリアの重なりの検出により条件づけられる
ことを特徴とする、請求項１から１０のいずれか一項に記載の有効化するための方法。
【請求項１２】
対象装置に関連付けられた仮想制御インターフェースを表示する手段を有するヘッドマウント装置であって、前記ヘッドマウント装置は、
前記仮想制御インターフェース内の第１のエリアの選択命令を検出し、選択された第１のエリアを伝達する手段と、
前記ヘッドマウント装置のユーザーの視線の位置を検出し、前記仮想制御インターフェース内の第２のエリアを伝達する手段と、
前記選択された第１のエリアと前記第２のエリアとが、前記対象装置によって実施される制御操作に関連付けられた同一の専用エリアに少なくとも部分的に重なるか検出する手段と、を有し、
前記少なくとも部分的に重なることを検出すると、前記ヘッドマウント装置は、アクティベートされる前記制御操作を有効化する手段をさらに有する
ことを特徴とする、前記ヘッドマウント装置。
【請求項１３】
前記第１のエリアの選択命令は、前記ユーザーのジェスチャの位置に対応する
ことを特徴とする、請求項１２に記載のヘッドマウント装置。
【請求項１４】
前記第１のエリアの選択命令は、前記ユーザーの音声コマンドに対応し、前記第１のエリアは前記専用エリアに含まれる
ことを特徴とする、請求項１２に記載のヘッドマウント装置。
【請求項１５】
前記第１のエリアは、前記専用エリアに対応する
ことを特徴とする、請求項１４に記載のヘッドマウント装置。
【発明の詳細な説明】
【技術分野】
【０００１】
本発明は、対象装置とユーザーとのインタラクションに関する。より正確には、本発明は、人が、例えば、透過型眼鏡などの、ヘッドマウントディスプレイ（ヘッドディスプレイ装置とも称される）を含むウェアラブルコンピューターと称される装置を使用して、当該対象装置とインタラクションする状況において利用される。
【背景技術】
【０００２】
このセクションは、以下に説明および／または特許請求される本発明のさまざまな態様に関連する当該技術分野のさまざまな態様を読者に紹介することを意図している。この説明は、背景情報を読者に提供し、本発明のさまざまな態様のより良い理解を容易にする点において役立つと考えられる。したがって、これらの記述は、この観点から読まれるべきであって、従来技術の自認として読まれるべきではないことを理解されたい。
【０００３】
今日では、ヘッドマウントディスプレイを有するウェアラブルコンピューターにより表示されたコントロールユーザーインターフェースを使用して、装置を制御することが可能である。例えば、当該可能な構成は、米国特許出願公開第２０１３／００６９９８５号明細書の特に図９および図１０に示されており、検知された動作に従って仮想制御インターフェースとインタラクションすることによりガレージのドアの開閉をする方法について説明されている（米国特許出願公開第２０１３／００６９９８５号明細書の§００４８および§１０４を参照のこと。）。当該検知される動作は、制御インターフェースに関連付けられた制御命令に対応する、頭部の動き、音声コマンド、または、あらゆるジェスチャであってもよい。
【０００４】
このような有効化プロセスは、対象装置に対するインタラクションおよび制御するための、数ある中のうちの単に一つの方法に過ぎない。実際に、技術水準のいくつかの文書中で他の技術が開示されている。より正確には、米国特許出願公開第２００３／００２０７０７号明細書の技術は、実在するオブジェクト（または対象装置）のための制御命令を生成するために、動作（例えば、「読む」、「ストップ」コマンド）に関連付けられた（ヘッドマウント透過ディスプレイ（ＨＭＤとも称される）を通じて表示される）仮想オブジェクト表示を、実在するオブジェクト（または対象装置）に重畳させる。
【０００５】
英国特許出願公開第２４６５２８０号明細書の技術は、制御対象となる注目オブジェクトを識別するために、ユーザーの指を検知することに基づく。当該技術は、米国特許出願公開第２０１３／００６９９８５号明細書において開示されている技術と同一化することができる。
【０００６】
米国特許出願公開第２０１２／００９２３００号明細書は同様に、仮想タッチを含む仮想キーボードを表示するヘッドマウント透過ディスプレイ装置について開示する。ここで、また、ヘッドマウント透過ディスプレイ装置に備えられたカメラが、ユーザーの指が、仮想タッチ上にあるように配置されたことを検知すると、仮想タッチに関連付けられる動作をアクティベートし、対象装置がその動作を実行する。
【先行技術文献】
【特許文献】
【０００７】
【特許文献１】米国特許出願公開第２０１３／００６９９８５号明細書
【特許文献２】米国特許出願公開第２００３／００２０７０７号明細書
【特許文献３】英国特許出願公開第２４６５２８０号明細書
【特許文献４】米国特許出願公開第２０１２／００９２３００号明細書
【発明の概要】
【発明が解決しようとする課題】
【０００８】
しかしながら、これらの技術は共通の欠点を有する。現に、突発的な動作の場合（ハチが目の前に飛んできて、手を使用した突発的な動作により追い払うとすることを想定する）、表示インターフェースにおける、当該動作に関連付けられた制御操作を、意図せずとも有効化してしまうかもしれない。本発明はこのような問題を解決することを意図している。
【課題を解決するための手段】
【０００９】
このような問題を解決するために、最も関連する文書と考慮される米国特許出願公開第２０１３／００６９９８５号明細書における示唆に基づき、そして、望まない有効化の発生の回避を試みて、当業者は、少なくとも２回、同じ動作（またはジェスチャ）または同じ音声コマンドを実施する、２重有効化技術（例えば、ダブルクリックのようなもの）を採用するであろう。
【００１０】
本発明は、仮想制御インターフェースを介する対象装置によって実施される制御操作を有効化するための方法であって、当該仮想制御インターフェースはユーザーのヘッドマウント装置によって表示される。当該方法は、
仮想制御インターフェース内の第１のエリアの選択命令を検出し、選択された第１のエリアを伝達するステップと、
前記ユーザーの視線の位置を検出し、前記仮想制御インターフェース内の第２のエリアを伝達するステップと、
前記選択された第１のエリアと前記第２のエリアが、前記対象装置によって実施される制御操作に関連付けられた同一の専用エリアに少なくとも部分的に重なるか検出するステップと、を有し、前記少なくとも部分的に重なることを検出すると、さらに、前記制御操作を有効化するステップを含む点において際立っている。そのようにして、当該方法により、ユーザーが特定の制御操作の実施を望んでいることの確認を可能とする。実際に、当該方法によれば、意図しない制御操作の有効化が発生する確率は非常に低い。それゆえ、当該方法は、ユーザーの意図を保証する技術を提供する。
【００１１】
好ましい実施形態においては、当該有効化するための方法は、前記第１のエリアの選択命令が前記ユーザーのジェスチャの位置に対応する点において際立っている。
【００１２】
好ましい実施形態においては、当該ジェスチャは、前記ユーザーの体の一部に関連付けられる。
【００１３】
好ましい実施形態においては、当該有効化するための方法は、第１のエリアの選択命令は、前記ユーザーの音声コマンドに対応し、前記第１のエリアは前記専用エリアに含まれる点において際立っている。
【００１４】
好ましい実施形態においては、前記第１のエリアは、前記専用エリアに対応する。
【００１５】
好ましい実施形態においては、当該有効化するための方法は、対象装置をセンサーにより検出した場合に、前記仮想制御インターフェースを表示するステップを含む点において際立っている。
【００１６】
好ましい実施形態においては、上記センサーは、上記ヘッドマウント装置に含まれる。
【００１７】
好ましい実施形態においては、上記センサーは、上記ユーザーによって装着される腕時計に含まれる。
【００１８】
それゆえ、ユーザーは、仮想制御インターフェースが現れるために、対象装置を直接視認する必要はない。腕時計を、単に、対象装置の方向に向ければよい。この構成により、ユーザーに、動作のより高い自由度を提供する。
【００１９】
好ましい実施形態においては、当該有効化するための方法は、前記センサーがカメラである点において際立っている。
【００２０】
好ましい実施形態においては、有効化するための方法は、前記選択した第１のエリアおよび前記第２のエリアが、前記同一の専用エリアに完全に重なるかどうかを検出し、前記選択した第１のエリアおよび前記第２のエリアが、完全に前記同一の専用エリアに重なる場合のみ前記有効化のステップが実行される点において際立っている。
【００２１】
好ましい実施形態においては、有効化するステップの実行はまた、前記選択された第１のエリアおよび前記第２のエリアの重なりの検出により条件づけられる点において際立っている。
【００２２】
本発明の別の実施形態においては、対象装置に関連付けられた仮想制御インターフェースを表示する手段を有するヘッドマウント装置が提案される。当該ヘッドマウント装置は、
前記仮想制御インターフェース内の第１のエリアの選択命令を検出し、選択された第１のエリアを伝達する手段と、
前記ヘッドマウント装置のユーザーの視線の位置を検出し、前記仮想制御インターフェース内の第２のエリアを伝達する手段と、
前記選択された第１のエリアと前記第２のエリアが、前記対象装置によって実施される制御操作に関連付けられた同一の専用エリアに少なくとも部分的に重なることを検出する手段と、を有し、前記少なくとも部分的に重なることを検出すると、前記ヘッドマウント装置はさらに、アクティベートされる前記制御操作を有効化する手段を有する点において際立っている。
【００２３】
好ましい実施形態においては、当該ヘッドマウント装置は、前記第１のエリアの選択命令は、前記ユーザーのジェスチャの位置に対応する点において際立っている。
【００２４】
好ましい実施形態においては、当該ヘッドマウント装置は、前記第１のエリアの選択命令は、前記ユーザーの音声コマンドに対応し、前記第１のエリアは前記専用エリアに含まれる点において際立っている。
【００２５】
好ましい実施形態においては、当該ヘッドマウント装置は、前記第１のエリアは、前記専用エリアに対応する点において際立っている。
【図面の簡単な説明】
【００２６】
上記および本発明の他の態様は、添付図面についての言及を有する、以下の例示的な実施形態の詳細な説明により、より明確になる。
【図１】本発明の一実施形態によるヘッドマウント装置を示す。
【図２（ａ）】本発明の一実施形態による有効化がどのように行われるかを詳説する個別のシナリオを示す。
【図２（ｂ）】本発明の一実施形態による有効化がどのように行われるかを詳説する個別のシナリオを示す。
【図２（ｃ）】本発明の一実施形態による有効化がどのように行われるかを詳説する個別のシナリオを示す。
【図３（ａ）】本発明の他の実施形態による有効化の他のシナリオを詳説する。
【図３（ｂ）】本発明の他の実施形態による有効化の他のシナリオを詳説する。
【図３（ｃ）】本発明の他の実施形態による有効化の他のシナリオを詳説する。
【図４】本明細書において開示される方法の１または複数のステップを実施するために使用され得る装置を示す。
【発明を実施するための形態】
【００２７】
図１は、本発明の一実施形態によるヘッドマウント装置を示す。
【００２８】
より正確には、当該実施形態において、１００で参照されるヘッドマウント装置は、２つのレンズと、ユーザーに表示される信号を生成または処理可能な、１０１で参照される電子装置（当該装置の例は図４において詳説される）と、動作が行われる対象となる対象装置を検出可能な１０３で参照されるセンサーと、そして当該ヘッドマウント装置を装着するユーザーの視線を検出可能な１０７で参照される別のセンサーとを有する。一実施形態においては、表示される信号は使用者の網膜に直接投影される。他の実施形態においては、表示される信号は、２つのレンズのうちの１つに投影される。当該表示される信号は、１０４で参照される仮想制御インターフェースを表すことができ、仮想制御インターフェース１０４は、例えば、１０２で参照されるＴＶセットといった対象装置を制御することができる。
【００２９】
ユーザーがユーザーの頭をＴＶセットの方向に動かしたときに、センサー１０３は（例えば認知手法により）ＴＶセットの存在を検知する。その場合、検知された対象装置の特性に従い、専用の／個別化された仮想制御インターフェース１０４がヘッドマウント装置１００を介して表示される。一実施形態においては、仮想制御インターフェース１０４の個別化のいくつかのパラメーターを、電子装置１０１に含まれるメモリユニットに保存することができる。
【００３０】
表示された（本来のまたは個別化された）仮想制御インターフェース１０４は、対象装置１０２によって実行される制御操作に関連付けられるいくつかの専用エリア（１０５または１０６で参照される、例えばいくつかのボックスまたはタッチ）を有する。より正確には、各専用エリアは、例えば、専用エリアに含まれるテキスト（または色）を備えた幾何学的形態を示す。ゆえに、ユーザーは、当該専用エリアを認識し、選択されると、対応する制御操作が起動されることを認識することができる。例えば、ユーザーが、ガレージドア（すなわち、対象装置）の前にいるときに、ガレージドアの近くに配置された（例えば、ガレージドアのそばの壁に取り付けられた）センサー１０３によりＱＲ（Ｑｕｉｃｋ  Ｒｅｓｐｏｎｓｅ）コードまたはマトリックスバーコードが検知されると、当該ガレージドアの制御のための仮想制御インターフェース１０４がヘッドマウント装置１００を介して表示される。そのような場合、２つの専用エリアを表示してもよく、１つ目のエリア１０５はその中に、「ガレージドアを開けろ」というテキストを含み、２つ目のエリア１０６はその中に「ガレージドアを閉める」というテキストを含む。ユーザーが、２つの専用エリア（またはボックス）のうちの１の選択を有効化すると、対応する動作（または制御操作）が電子装置１０１に送られ解析され、その後、ガレージドアの動作を制御するモーターをアクティベートさせる。
【００３１】
ゆえに、制御操作の有効化を望むユーザーはまず、第１のステップで仮想制御インターフェース１０４内の第１のエリアを定義する選択命令を与えなければならない。当該選択命令は、例えば、「スタート」、「ストップ」などのような音声コマンドであってもよい（その場合、電子装置は音声コンテンツを認識する手段を有する。）。そのような場合、ユーザーは、選択するためには単に仮想制御インターフェース１０４の専用エリアに含まれるテキストを読めばよい。別の実施形態においては、選択命令は、ジェスチャ（手の指の位置など）の位置／エリアや、ジェスチャの組合せであってもよい。当該選択命令はセンサー１０３によって検知され、電子装置１０１が後に、表示されている仮想制御インターフェース１０４内の専用エリアに少なくとも部分的に重なる位置に対応しているかどうかを判断する。その後、第２のステップにおいて、先の第１のステップに付随して、仮想制御インターフェース１０４内の専用エリア（またはボックス）１０６または１０５がユーザーによって見られたかどうかを判断するために、センサー１０７を介してユーザーの視線の位置が検出される。エリアが重なる場合、（すなわち、選択命令の検知により取得された第１のエリアと専用エリアとが（部分的または完全に）重なる場合、およびユーザーの視線の位置の検知により取得された第２のエリアと同一の専用エリアとが（部分的または完全に）重なる場合）、関連付けられたコマンドの有効化が実行される。
【００３２】
例えば、ユーザーが、ボックス１０６に関連付けられた制御コマンドを有効化することを介してガレージドアを閉めることを望む場合、ユーザーは、次の文「ガレージドアを閉める」を発声し、この制御コマンドを有効化するために、ユーザーの視線が同様にチェックされる。ユーザーの視線が（部分的または完全に）エリア１０６と重なれば、制御コマンドがアクティベートされ、さもなければ、アクティベートされない。
【００３３】
ヘッドマウント装置１００は、（開示されていない）通信手段を介して、対象装置１０２で実行されるコマンド／操作を送信する。当該通信手段は、ヘッドマウント装置１００と対象装置間で信号の送受信を可能とするアンテナを含む。一実施形態においては、当該アンテナは、ＮＦＣ準拠のアンテナまたはＲＦＩＤ準拠のアンテナである。他の実施形態においては、当該通信手段はＢｌｕｅｔｏｏｔｈ（登録商標）準拠のユニットを含む。
【００３４】
対象装置がＴＶセットの場合、制御操作は、ＯＮ／ＯＦＦ操作、録画操作、ズームイン／アウト操作、輝度制御操作、音声制御操作、チャンネル変更操作などを含むグループに属する操作であってもよい。
【００３５】
別の実施形態においては、センサー１０３はヘッドマウント装置１００に含まれないが、ヘッドマウント装置と協働するための通信手段をさらに有する（開示されていない）腕時計内に含まれる。
【００３６】
別の実施形態においては、腕時計とヘッドマウント装置は共に、センサー１０３を有する。
【００３７】
センサー１０７は、電子装置１０１に接続される視線追跡ユニットであってもよい。別の実施形態においては、電子装置１０１の処理の一部を、（ヘッドマウント装置の利用を介して制御され得る複数の装置を含む物理的なエリアをカバーする）中央ユニットに任せてもよい。
【００３８】
図２（ａ）から図２（ｃ）は、本発明の一実施形態による有効化がどのように行われるかを詳説する種々のシナリオを示す。
【００３９】
図２（ａ）から図２（ｃ）において、ユーザーは、ヘッドマウント装置１００を介して、２つの専用エリア（またはボックス）１０５および１０６を含む仮想制御インターフェース１０４を見る。別の実施形態において、専用エリア（制御操作に関連付けられている各専用エリア）の数は、２より少なくても多くてもよいことは明らかである。
【００４０】
図２（ａ）において、センサー１０７によって検出されるユーザーの注視点は、第１のエリアを定義し、２００で参照され、円で示される（別の実施形態においては、第１のエリアは、例えば、正方形、長方形などの他の形で示される）。
【００４１】
センサー１０３は第２のエリアを定義する指の位置を検知し、２０１で参照され、円で示される（別の実施形態においては、第２のエリアは、例えば、正方形、長方形などの他の形で示される）。
【００４２】
このような表現は、ヘッドマウント装置１００を介して、表示してもされなくてもよい。一実施形態において、これらの表現は、電子装置１０１のみによって使用されるため、表示されない。当該表現は、有効化の方法の精度の範囲を定義する。これら（表現）がより狭ければ、よりシャープな精度が得られる。例えば、円２００または２０１の直径が小さければ有効化がより正確になる。このようなサイズは、制御操作の重要性の関数とすることができる。例えば、制御操作の実行が重要な結果を有し得るとき、誤って有効化する確率を減らすためにサイズを小さくすべきである。
【００４３】
一実施形態において、専用エリア１０５または１０６のいずれかにおいて検出された第１のエリア２００または２０１は、制御操作を選択する。その後、第２のエリア２００または２０１がその専用エリアに（部分的または完全に）重なれば、選択された制御操作は対象装置によって実行されても良いことを意味する。そのような場合、ヘッドマウント装置は、当該コマンド命令を対象装置に対して送信する。
【００４４】
図２（ａ）は、ボックス／専用エリア１０６に関連付けられた制御コマンドの有効化の例を示す。実際に、エリア２００および２０１は、専用エリア／ボックス１０６内に含まれるものとして、検出される。
【００４５】
図２（ｂ）は、ボックス／専用エリア１０６に関連付けられた制御コマンドの有効化の例を示す。実際に、エリア２００および２０１は、（たとえ、エリア２０１の部分のみが専用エリア１０６に含まれるとしても）専用エリア／ボックス１０６内に含まれるものとして、検出される。
【００４６】
図２（ｃ）は、ボックス／専用エリア１０６に関連付けられた制御コマンドが有効化されない例を示す。実際に、エリア２０１は、専用エリア／ボックス１０６内に含まれるものとして、検出されない。エリアは専用エリア１０６に重ならない。
【００４７】
（図２（ａ）から図２（ｃ）により示されない）別の実施形態において、専用エリアに関連付けられたコマンドの有効化は、第１のエリア２００および第２のエリア２０１が、参照エリア１０６において互いに接触した場合のみ実行される。別の実施形態において、ユーザーが指またはジェスチャを使用しないが、声を使用して第１のエリアを定義する場合、その選択される第１のエリアは、専用エリア１０５または１０６全体に対応する。別の実施形態において、それは上記専用エリアの一部であってもよい。それらの実施形態は、以下により詳細に説明される。
【００４８】
図３（ａ）から（ｃ）は、本発明の別の実施形態による有効化の別のシナリオを詳説する。
【００４９】
図３（ａ）から（ｃ）は、ユーザーがガレージドアを開けることを望むケースについて説明する。本実施形態において、ユーザーは、例えばエリア１０５に表示されたテキスト（すなわち、次のテキスト「ガレージドアを開けろ」。）を大きな声で読み上げ、そして、（例えば、電子装置１０１に含まれる）音声コンテンツを認識するための手段が、ユーザーの発声が表示されているテキストのうちの１つに対応するか検知する。音声コンテンツを認識するための手段が、ユーザーが、「ガレージドアを開けろ」と発声したことを検知すると、エリア１０５の１部分（３０１で参照され、斜線を有するエリアで示される）が選択される。その後、センサー１０７で検知されるユーザーの注視点が、３００で参照され（図２（ａ）から（ｃ）におけるエリア２００のように）円で示されるエリアを定義する。図３（ａ）において、エリア３０１と３００が重ならないことにより、コマンド「ガレージドアを開けろ」の有効化は実施されない。一方、図３（ｂ）は、エリア３０１と３００が重なることから、コマンド（または制御操作）「ガレージドアを開けろ」の有効化がなされることを示している。この場合において、ヘッドマウント装置１００は、意図された動作（例えば、ガレージドアを開くこと）を実行させるためにコマンドを送信する。
【００５０】
最後に、図３（ｃ）は、別の実施形態であって、ユーザーが例えばエリア１０５内に表示されたテキスト（すなわち、次のテキスト「ガレージドアを開けろ」。）を大声で読み上げると、音声コンテンツを認識するための手段によりテキストが認識され、エリア１０５の一部分（３０１で参照されるエリア）が選択され、当該部分３０１がエリア１０５内で移動する、別の実施形態を描写する（別の実施形態においては、当該移動するエリア３０１は、エリア１０６に重ならなければ、エリア１０５の境域を超えてもよい。）。次に、コマンドの送信を有効化するためには、ユーザーの注視に従い定義されるエリア３００がエリア３０１に重なる必要がある。エリア３０１が移動しているため、有効化のための技術は意図しない有効化を回避する。
【００５１】
図４は、本明細書において開示される方法の１または複数のステップを実施するために使用され得る電子装置を示す。
【００５２】
４００で参照される当該装置は、４０１で参照される計算ユニット（例えば、中央処理装置としてのＣＰＵ）、４０２で参照される１または複数のメモリユニット（例えば、コンピュータープログラムの命令の実行中に中間処理結果を一時格納し得るＲＡＭ（ランダムアクセスメモリ）ブロック、とりわけコンピュータープログラムを格納するＲＯＭ（Ｒｅａｄ  Ｏｎｌｙ  Ｍｅｍｏｒｙ）ブロック、またはＥＥＰＲＯＭ（Ｅｌｅｃｔｒｉｃａｌｌｙ−Ｅｒａｓａｂｌｅ  Ｐｒｏｇｒａｍｍａｂｌｅ  Ｒｅａｄ−Ｏｎｌｙ  Ｍｅｍｏｒｙ）ブロック、または、フラッシュブロック）を含む。コンピュータープログラムは、計算ユニットによって実行され得る命令によって構成される。当該装置４００は、装置４００が他のデバイスと通信できるようにする入出力インターフェースを構成する、４０３で参照される専用ユニットを有してもよい。特に、この専用ユニット４０３は、（非接触で通信を実施するための）アンテナと、または、（接続して通信を実施する）シリアルポートと接続されてもよい。図４中の矢印は、リンクされたユニットは、例えば互いにバスを介してデータを交換することができることを意味するものとする。
【００５３】
代替的な実施形態において、上記説明された方法の一部またはすべてのステップは、プログラマブルＦＰＧＡ（Ｆｉｅｌｄ  Ｐｒｏｇｒａｍｍａｂｌｅ  Ｇａｔｅ  Ａｒｒａｙ）コンポーネントまたはＡＳＩＣ（Ａｐｐｌｉｃａｔｉｏｎ−Ｓｐｅｃｉｆｉｃ  Ｉｎｔｅｇｒａｔｅｄ  Ｃｉｒｃｕｉｔ）コンポーネントのハードウェアにおいて実装されてもよい。
【００５４】
代替的な実施形態において、上記説明された方法の一部またはすべてのステップは、図４において開示されたようなメモリユニットおよび処理ユニットを含む電子装置において実行されてもよい。
【００５５】
一実施形態においては、当該電子装置４００は、例えば、Ｐ．  Ｂｏｕｒｋｅ  ｅｔ  ａｌによる論文「Ａ  Ｈｉｇｈ−Ｐｅｒｆｏｒｍａｎｃｅ  Ｈａｒｄｗａｒｅ  Ｓｐｅｅｃｈ  Ｒｅｃｏｇｎｉｔｉｏｎ  Ｓｙｓｔｅｍ  ｆｏｒ  Ｍｏｂｉｌｅ  Ａｐｐｌｉｃａｔｉｏｎｓ」で示されるような、音声コンテンツを認識するための手段を有する。
【図１】
2015043209.tif 000003
【図２（ａ）】
2015043209.tif 000004
【図２（ｂ）】
2015043209.tif 000005
【図２（ｃ）】
2015043209.tif 000006
【図３（ａ）】
2015043209.tif 000007
【図３（ｂ）】
2015043209.tif 000008
【図３（ｃ）】
2015043209.tif 000009
【図４】
2015043209.tif 000010
【外国語明細書】
2015043209000001.pdf